(57)【要約】【課題】利用者にとって、有益な広告情報を提供する広告情報提供装置を提供する。【解決手段】広告情報提供装置は、所定の検索条件に合致する広告の情報に関する一覧情報を提供した後に、端末装置から選択された広告に関する詳細情報である広告詳細情報を提供している。そして、上記広告詳細情報には、広告対象の施設の位置情報（緯度経度情報等）及び当該施設の最寄場所の位置情報に基づいたルート情報を含んでいる。従って、広告情報提供装置は、単に広告のコメントのみを提供する場合に比して有用な情報を提供することができる。【選択図】図４
2009145375.tif 000002
【特許請求の範囲】
【請求項１】
ネットワークを介して端末装置と通信可能に接続されている広告情報提供装置であって、
地図情報を保持する地図情報保持手段と、
広告対象の施設の位置情報及び前記広告対象の最寄場所の位置情報を含む施設の広告に関する情報である広告情報を保持する広告情報保持手段と、
前記端末装置から所定の情報を受信すると共に、前記広告情報の検索結果に基づく情報の提供要求を受け付ける広告情報提供要求受付手段と、
前記広告情報提供要求受付手段が受信した情報に基づく検索条件に合致する広告情報を検索する広告情報検索手段と、
前記広告情報検索手段が検索した広告情報の一覧情報を含む広告一覧情報を生成する広告一覧情報生成手段と、
前記広告一覧情報から選択された施設の最寄場所から施設までのルートを検索するルート検索手段と、
前記ルートを含む広告の詳細情報を前記広告一覧情報に付した広告詳細情報を生成する広告詳細情報生成手段と、
前記広告情報一覧情報又は広告情報詳細情報を提供する広告情報提供手段と、
を備えることを特徴とする広告情報提供装置。
【請求項２】
前記広告詳細情報は、前記最寄場所から施設までの情報を示すアクセス情報を複数含み、
前記広告情報提供要求受付手段は、前記端末装置で選択されたアクセス情報を取得すると共に、詳細情報の再生成要求を受付け、
前記ルート検索手段は、前記端末装置で選択されたアクセス情報に基づいたルートを検索し、
前記広告詳細情報生成手段は、前記端末装置で選択されたアクセス情報に基づいたルートを含んだ広告詳細情報を生成することを特徴とする請求項１に記載の広告情報提供装置。
【請求項３】
前記広告情報保持手段は、広告情報の表示回数を示す表示回数情報を保持し、
前記広告一覧情報生成手段は、前記表示回数情報に基づいて広告情報の表示順を決定することを特徴とする請求項１又は２に記載の広告情報提供装置。
【請求項４】
前記広告情報提供要求受付手段は、前記端末装置で、前記詳細情報に関する所定のソート用文字列を取得すると共に、一覧情報部分のソート要求を受信し、
前記広告一覧情報生成手段は、前記広告一覧情報について、前記ソート用文字列の内容に基づいて再生成することを特徴とする請求項１乃至３のいずれか一項に記載の広告情報提供装置。
【請求項５】
前記広告情報保持手段は、クーポン情報を保持し、
前記広告詳細情報生成手段は、前記広告詳細情報に前記クーポン情報を含めることを特徴とする請求項１乃至４のいずれか一項に記載の広告情報提供装置。
【請求項６】
ネットワークを介して端末装置と通信可能に接続されている装置で広告情報を提供する広告情報提供方法あって、
地図情報を保持する地図情報保持工程と、
広告対象の施設の位置情報及び前記広告対象の最寄場所の位置情報を含む施設の広告に関する情報である広告情報を保持する広告情報保持工程と、
前記端末装置から所定の情報を受信すると共に、前記広告情報の検索結果に基づく情報の提供要求を受け付ける広告情報提供要求受付工程と、
前記広告情報提供要求受付工程で受信した情報に基づく検索条件に合致する広告情報を検索する広告情報検索工程と、
前記広告情報検索工程で検索した広告情報の一覧情報を含む広告一覧情報を生成する広告一覧情報生成工程と、
前記広告一覧情報から選択された施設の最寄場所から施設までのルートを検索するルート検索工程と、
前記ルートを含む広告の詳細情報を前記広告一覧情報に付した広告詳細情報を生成する広告詳細情報生成工程と、
前記広告情報一覧情報又は広告情報詳細情報を提供する広告情報提供工程と、
を備えることを特徴とする広告情報提供方法。
【請求項７】
ネットワークを介して端末装置と通信可能に接続されているコンピュータ上で実行される広告情報提供プログラムあって、
地図情報を保持する地図情報保持手段と、
広告対象の施設の位置情報及び前記広告対象の最寄場所の位置情報を含む施設の広告に関する情報である広告情報を保持する広告情報保持手段と、
前記端末装置から所定の情報を受信すると共に、前記広告情報の検索結果に基づく情報の提供要求を受け付ける広告情報提供要求受付手段と、
前記広告情報提供要求受付手段が受信した情報に基づく検索条件に合致する広告情報を検索する広告情報検索手段と、
前記広告情報検索手段が検索した広告情報の一覧情報を含む広告一覧情報を生成する広告一覧情報生成手段と、
前記広告一覧情報から選択された施設の最寄場所から施設までのルートを検索するルート検索手段と、
前記ルートを含む広告の詳細情報を前記広告一覧情報に付した広告詳細情報を生成する広告詳細情報生成手段と、
前記広告情報一覧情報又は広告情報詳細情報を提供する広告情報提供手段、として前記コンピュータを機能させることを特徴とする広告情報提供プログラム。
【請求項８】
請求項７に記載の広告情報提供プログラムを記録したことを特徴とする記録媒体。
【発明の詳細な説明】
【技術分野】
【０００１】
本発明は、広告情報を提供する方法に関する。
【背景技術】
【０００２】
従来、ウェブブラウザ上で地図情報と共に、上記地図に対応する広告情報を提供するシステムがある。例えば、特許文献１で記載されている広告情報登録・表示システムでは、予め登録されている利用者の生活圏周辺について、地図表示するとともに、表示対象の地図領域内の広告情報を検索し、広告が存在する個所にアイコンを表示する。
【０００３】
そして、広告情報登録・表示システムは、利用者の操作により、上記アイコンにカーソルが合わせられると、最新の広告情報（例えば、特売情報等）を表示する。
【０００４】
【特許文献１】特開２００６−４０１２９号公報
【発明の開示】
【発明が解決しようとする課題】
【０００５】
しかし、上記の広告情報登録・表示システムでは、提供する広告情報がコメント程度の内容であるので、広告情報の量が必ずしも十分とはいえないという問題点があった。
【０００６】
本発明が解決しようとする課題としては、上記のものが例として挙げられる。本発明の目的は、利用者にとって、有益な広告情報を提供する広告情報提供装置を提供することにある。
【課題を解決するための手段】
【０００７】
請求項１に記載の発明は、ネットワークを介して端末装置と通信可能に接続されている広告情報提供装置であって、地図情報を保持する地図情報保持手段と、広告対象の施設の位置情報及び前記広告対象の最寄場所の位置情報を含む施設の広告に関する情報である広告情報を保持する広告情報保持手段と、前記端末装置から所定の情報を受信すると共に、前記広告情報の検索結果に基づく情報の提供要求を受け付ける広告情報提供要求受付手段と、前記広告情報提供要求受付手段が受信した情報に基づく検索条件に合致する広告情報を検索する広告情報検索手段と、前記広告情報検索手段が検索した広告情報の一覧情報を含む広告一覧情報を生成する広告一覧情報生成手段と、前記広告一覧情報から選択された施設の最寄場所から施設までのルートを検索するルート検索手段と、前記ルートを含む広告の詳細情報を前記広告一覧情報に付した広告詳細情報を生成する広告詳細情報生成手段と、前記広告情報一覧情報又は広告情報詳細情報を提供する広告情報提供手段と、を備えることを特徴とする。
【０００８】
請求項６に記載の発明は、ネットワークを介して端末装置と通信可能に接続されている装置で広告情報を提供する広告情報提供方法あって、地図情報を保持する地図情報保持工程と、広告対象の施設の位置情報及び前記広告対象の最寄場所の位置情報を含む施設の広告に関する情報である広告情報を保持する広告情報保持工程と、前記端末装置から所定の情報を受信すると共に、前記広告情報の検索結果に基づく情報の提供要求を受け付ける広告情報提供要求受付工程と、前記広告情報提供要求受付工程で受信した情報に基づく検索条件に合致する広告情報を検索する広告情報検索工程と、前記広告情報検索工程で検索した広告情報の一覧情報を含む広告一覧情報を生成する広告一覧情報生成工程と、前記広告一覧情報から選択された施設の最寄場所から施設までのルートを検索するルート検索工程と、前記ルートを含む広告の詳細情報を前記広告一覧情報に付した広告詳細情報を生成する広告詳細情報生成工程と、前記広告情報一覧情報又は広告情報詳細情報を提供する広告情報提供工程と、を備えることを特徴とする。
【０００９】
請求項７に記載の発明は、ネットワークを介して端末装置と通信可能に接続されているコンピュータ上で実行される広告情報提供プログラムあって、地図情報を保持する地図情報保持手段と、広告対象の施設の位置情報及び前記広告対象の最寄場所の位置情報を含む施設の広告に関する情報である広告情報を保持する広告情報保持手段と、前記端末装置から所定の情報を受信すると共に、前記広告情報の検索結果に基づく情報の提供要求を受け付ける広告情報提供要求受付手段と、前記広告情報提供要求受付手段が受信した情報に基づく検索条件に合致する広告情報を検索する広告情報検索手段と、前記広告情報検索手段が検索した広告情報の一覧情報を含む広告一覧情報を生成する広告一覧情報生成手段と、前記広告一覧情報から選択された施設の最寄場所から施設までのルートを検索するルート検索手段と、前記ルートを含む広告の詳細情報を前記広告一覧情報に付した広告詳細情報を生成する広告詳細情報生成手段と、前記広告情報一覧情報又は広告情報詳細情報を提供する広告情報提供手段、として前記コンピュータを機能させることを特徴とする。
【発明を実施するための最良の形態】
【００１０】
本発明の好適な実施形態では、ネットワークを介して端末装置と通信可能に接続されている広告情報提供装置であって、地図情報を保持する地図情報保持手段と、広告対象の施設の位置情報及び前記広告対象の最寄場所の位置情報を含む施設の広告に関する情報である広告情報を保持する広告情報保持手段と、前記端末装置から所定の情報を受信すると共に、前記広告情報の検索結果に基づく情報の提供要求を受け付ける広告情報提供要求受付手段と、前記広告情報提供要求受付手段が受信した情報に基づく検索条件に合致する広告情報を検索する広告情報検索手段と、前記広告情報検索手段が検索した広告情報の一覧情報を含む広告一覧情報を生成する広告一覧情報生成手段と、前記広告一覧情報から選択された施設の最寄場所から施設までのルートを検索するルート検索手段と、前記ルートを含む広告の詳細情報を前記広告一覧情報に付した広告詳細情報を生成する広告詳細情報生成手段と、前記広告情報一覧情報又は広告情報詳細情報を提供する広告情報提供手段と、を備える。
【００１１】
上記の広告情報提供装置は、具体的には、サーバ装置等である。広告情報提供装置は、地図情報及び広告情報を保持している。ここで、広告情報には、広告対象の施設の位置情報及び前記広告対象の最寄場所の位置情報が含まれている。広告情報提供要求受付手段は、ネットワークで接続されている端末装置から所定の情報を取得すると共に、所定の広告情報を含む情報の提供要求を受け付ける。そして、広告情報検索手段は、上記広告情報提供要求受付手段が端末装置から取得した情報に基づいた検索条件に合致する広告情報を検索する。そして、広告一覧情報生成手段は、上記広告情報検索手段が検索した広告情報の一部を一覧とした広告一覧を含めた広告一覧情報を生成する。ルート検索手段は、広告一覧情報から選択された広告に対応する、広告対象の施設の位置情報及び前記広告対象の最寄場所の位置情報に基づいてルート検索する。広告詳細情報生成手段は、上記ルート検索手段が検索したルートや広告情報を含めた広告詳細情報を生成する。広告情報提供手段は、上記広告一覧情報や広告詳細情報を端末装置へネットワークを用いて提供する。
【００１２】
このように、広告情報提供装置は、所定の検索条件に合致する広告の情報に関する一覧情報を提供した後に、端末装置から選択された広告に関する詳細情報である広告詳細情報を提供している。そして、上記広告詳細情報には、広告対象の施設の位置情報（緯度経度情報等）及び当該施設の最寄場所の位置情報に基づいたルート情報を含んでいる。
【００１３】
従って、広告情報提供装置は、単に広告のコメントのみを提供する場合に比して有用な情報を提供することができる。
【００１４】
上記広告情報提供装置の一態様では、前記広告詳細情報は、前記最寄場所から施設までの情報を示すアクセス情報を複数含み、前記広告情報提供要求受付手段は、前記端末装置で選択されたアクセス情報を取得すると共に、詳細情報の再生成要求を受付け、前記ルート検索手段は、前記端末装置で選択されたアクセス情報に基づいたルートを検索し、前記広告詳細情報生成手段は、前記端末装置で選択されたアクセス情報に基づいたルートを含んだ広告詳細情報を生成する。この場合、広告情報提供装置は、１つの広告対象の施設に複数の最寄場所が存在する場合に、端末装置の利用者にとって、所望なルート情報を含む詳細ページ情報を端末装置へ提供することができる。
【００１５】
上記広告情報提供装置の一態様では、前記広告情報保持手段は、広告情報の表示回数を示す表示回数情報を保持し、前記広告一覧情報生成手段は、前記表示回数情報に基づいて広告情報の表示順を決定する。この場合、広告情報提供装置は、広告の表示回数に応じて広告一覧情報を生成することができる。従って、広告情報提供装置は、良く参照される広告を優先して表示させることができる。
【００１６】
上記広告情報提供装置の他の一態様では、前記広告情報提供要求受付手段は、前記端末装置で、前記詳細情報に関する所定のソート用文字列を取得すると共に、一覧情報部分のソート要求を受信し、前記広告一覧情報生成手段は、前記広告一覧情報について、前記ソート用文字列の内容に基づいて再生成する。この場合、広告情報提供装置は、端末装置の利用者が注目する文字列の内容に基づいて一覧情報部分を並び替えて一覧ページを生成することになるので、端末装置の利用者にとって所望の順に広告の一覧を表示した広告一覧情報を提供することができる。
【００１７】
上記広告情報提供装置の他の一態様では、前記広告情報保持手段は、クーポン情報を保持し、前記広告詳細情報生成手段は、前記広告詳細情報に前記クーポン情報を含める。よって、広告情報提供装置は、広告詳細情報を提供する際に、利用者にとって有用なクーポン情報を提供することができるので、顧客吸引力を有する広告情報を提供することができる。
【００１８】
本発明の他の実施形態では、ネットワークを介して端末装置と通信可能に接続されている装置で広告情報を提供する広告情報提供方法あって、地図情報を保持する地図情報保持工程と、広告対象の施設の位置情報及び前記広告対象の最寄場所の位置情報を含む施設の広告に関する情報である広告情報を保持する広告情報保持工程と、前記端末装置から所定の情報を受信すると共に、前記広告情報の検索結果に基づく情報の提供要求を受け付ける広告情報提供要求受付工程と、前記広告情報提供要求受付工程で受信した情報に基づく検索条件に合致する広告情報を検索する広告情報検索工程と、前記広告情報検索工程で検索した広告情報の一覧情報を含む広告一覧情報を生成する広告一覧情報生成工程と、前記広告一覧情報から選択された施設の最寄場所から施設までのルートを検索するルート検索工程と、前記ルートを含む広告の詳細情報を前記広告一覧情報に付した広告詳細情報を生成する広告詳細情報生成工程と、前記広告情報一覧情報又は広告情報詳細情報を提供する広告情報提供工程と、を備えることを特徴とする。このような広告情報提供方法によっても、広告対象の施設の最寄場所から、広告対象の施設までのルートを含めた広告詳細情報を提供することができる。
【００１９】
本発明のさらに他の観点では、コンピュータ上で実行される広告情報提供プログラムであって、地図情報を保持する地図情報保持手段と、広告対象の施設の位置情報及び前記広告対象の最寄場所の位置情報を含む施設の広告に関する情報である広告情報を保持する広告情報保持手段と、前記端末装置から所定の情報を受信すると共に、前記広告情報の検索結果に基づく情報の提供要求を受け付ける広告情報提供要求受付手段と、前記広告情報提供要求受付手段が受信した情報に基づく検索条件に合致する広告情報を検索する広告情報検索手段と、前記広告情報検索手段が検索した広告情報の一覧情報を含む広告一覧情報を生成する広告一覧情報生成手段と、前記広告一覧情報から選択された施設の最寄場所から施設までのルートを検索するルート検索手段と、前記ルートを含む広告の詳細情報を前記広告一覧情報に付した広告詳細情報を生成する広告詳細情報生成手段と、前記広告情報一覧情報又は広告情報詳細情報を提供する広告情報提供手段、として前記コンピュータを機能させる。このような広告情報提供プログラムを、各種装置上で実行することにより、本発明の広告情報提供装置を実現することができる。なお、この広告情報提供プログラムは記録媒体に記録した状態で好適に取り扱うことができる。
【実施例】
【００２０】
以下、図面を参照して本発明の好適な実施例について説明する。
［広告情報提供システムの概略構成］
図１に、広告情報提供システム１００の概念図を示す。本実施例では、広告情報提供システム１００は、端末装置１と、広告情報提供サーバ３とがネットワーク２を通じて接続されることにより構成される。ここで、ネットワーク２の１つの好適な例はインターネットである。
【００２１】
端末装置１は、広告情報を含むページの閲覧を要求する利用者が使用するクライアント端末である。広告情報の詳細については、後述する。具体的に、広告を閲覧する利用者が端末装置１を使用して、閲覧を希望する条件を入力すると、端末装置１は、入力された内容に応じた入力パラメタ（例えば、広告情報の検索条件に関する情報等）を広告情報提供サーバ３へ送信するとともに、広告情報を含むページの提供要求を行う。そして、端末装置１は、広告情報提供サーバ３から広告情報を含むページを受信すると、当該広告情報を含むページを表示する。
【００２２】
広告情報提供サーバ３は、広告情報を保持し、端末装置１からの要求に応じた広告情報を検索し、当該広告情報を含むページを生成し、当該ページを端末装置１へ送信する。
【００２３】
[広告情報提供サーバ]
図２は、本発明の実施例に係る広告情報提供サーバ３の概略構成を示す図である。
【００２４】
広告情報提供サーバ３は、例えば、サーバコンピュータにより構成され、システムバス１１と、ＣＰＵ（Ｃｅｎｔｒａｌ  Ｐｒｏｃｅｓｓｉｎｇ  Ｕｎｉｔ）１２と、メモリ１３と、キーボード１４と、マウスなどの座標指示デバイス１５と、ディスプレイ１６と、プリンタ１７と、ハードディスクなどのデータ記憶装置１８と、データ通信ユニット１９とを備える。ここで、キーボード１４及び座標指示デバイス１５は、入力装置である。また、ディスプレイ１６及びプリンタ１７は、出力装置である。データ通信ユニット１９による送信は、ＵＳＢ（Ｕｎｉｖｅｒｓａｌ  Ｓｅｒｉａｌ  Ｂｕｓ）ケーブルを使用した有線送信、端子などの接触によるデータ送信など、データ通信ユニット１９から端末装置１へデータ送信が可能であれば、任意の方法を適用することができる。ＣＰＵ１２は、広告情報提供サーバ３全体を制御し、入出力装置の制御を行う。
【００２５】
ＣＰＵ１２、メモリ１３、データ記憶装置１８、データ通信ユニット１９は、システムバス１１に接続される。キーボード１４、座標指示デバイス１５、ディスプレイ１６、プリンタ１７も図示しないインタフェースを介してシステムバス１１に接続される。メモリ１３は、作業メモリとしても使用される。
【００２６】
データ記憶装置１８は、図示の通り、地図情報ＤＢ３５０と、広告基礎情報ＤＢ３６０と、表示管理情報ＤＢ３８０と、広告画像関連情報ＤＢ３９０と、画像ファイル４１０とを保持する。地図情報ＤＢ３５０は、地図情報（位置情報（緯度経度情報）や、地図背景情報や、道路等の形状データ）を格納するデータベースである。なお、上記地図情報は、形状データと名称との対応付けがなされているものとする。広告基礎情報ＤＢ３６０は、広告基礎情報３６１を管理するデータベースである。ここで、広告基礎情報３６１のデータ構造を図３（ａ）に示す。広告基礎情報３６１は、広告を一意に識別する広告ＩＤ３６２と、広告対象の施設名称を示す施設名称３６３と、広告対象の施設のジャンルを示すジャンル３６４と、広告対象の施設の住所を示す住所３６５と、広告対象の施設の設置個所に該当する都道府県を示す都道府県３６６と、広告対象の施設の設置個所に該当する市区町村を示す市区町村３６７と、広告対象の施設の電話番号を示す電話番号３６８と、広告対象の施設の位置座標情報（例えば、緯度経度等）を示す座標情報３６９と、広告用のコメントを示すコメント３７０と、広告対象の施設のホームページ（パソコン用）のＵＲＬ（Ｕｎｉｆｏｒｍ  Ｒｅｓｏｕｒｃｅ  Ｌｏｃａｔｏｒ）を示すＰＣ用ＵＲＬ３７１と、広告対象の施設のホームページ（携帯用）のＵＲＬを示す携帯用ＵＲＬ３７２と、広告対象の施設の最寄場所を示す最寄場所３７３（具体的には、最寄場所の名称や、当該最寄場所を識別できる情報、最寄場所の座標情報等）と、広告対象の施設の住所に対応する郵便番号を示す郵便番号３７４とを有する情報である。なお、上記最寄場所３７３は、複数の最寄場所に関する情報を保持するようにしても良い。
【００２７】
表示管理情報ＤＢ３８０は、表示管理情報３８１を管理するデータベースである。ここで、表示管理情報３８１のデータ構造を図３（ｂ）に示す。表示管理情報３８１は、広告を一意に識別する広告ＩＤ３８２と、広告情報が表示等された回数を示すインプレッション回数３８３とを有する情報である。
【００２８】
広告画像関連情報ＤＢ３９０は、広告画像関連情報３９１を管理するデータベースである。ここで、広告画像関連情報３９１のデータ構造を図３（ｃ）に示す。広告画像関連情報３９１は、広告を一意に識別する広告ＩＤ３９２と、画像ファイルの保存先を示す画像ファイル保存先３９３とを有する情報である。また、データ記憶装置１８は、広告情報として用いられる画像データを含む画像ファイル４１０を保持する。
【００２９】
なお、広告情報とは、広告基礎情報３６１及び当該広告基礎情報に関連する画像データを含む情報をいう。
【００３０】
[広告情報提供ユニット]
図４は、広告情報を提供する広告情報提供ユニット２００の機能ブロック図である。広告情報提供ユニット２００は、実態的には、広告情報提供サーバ３の構成要素により構成される。図４に示すように、広告情報提供ユニット２００は、地図情報記憶部２０１、広告情報記憶部２０２、表示順位判定用情報記憶部２０３、広告情報提供要求受信部２０４、広告情報検索部２０５、一覧情報生成部２０６、詳細情報用ルート検索部２０７、詳細情報生成部２０８、及び広告情報提供部２０９を備える。
【００３１】
地図情報記憶部２０１は、地図情報を記憶する。広告情報記憶部２０２は、広告基礎ＤＢ３６０が管理する広告基礎情報３６１、広告画像関連情報ＤＢ３９０が管理する広告画像関連情報３９１、画像ファイル４１０を記憶する。表示順位判定用情報記憶部２０３は、広告に関する情報を一覧表示する際に、広告の表示順を決定するための情報を保持する。具体的に、表示順位判定用情報記憶部２０３は、表示管理情報ＤＢ３８０が管理する表示管理情報３８１を保持する。
【００３２】
広告情報提供要求受信部２０４は、端末装置１から検索条件の元となる情報を含む入力パラメタ情報を取得すると共に、各種要求（例えば、一覧情報提供要求や詳細情報提供要求等）を受信する。なお、広告情報提供要求受信部２０４は、広告情報提供要求受付手段として機能する。
【００３３】
広告情報検索部２０５は、広告情報提供要求受信部２０４が取得した情報に基づいた検索条件に合致する広告基礎情報３６１を検索したり、検索した広告基礎情報３６１に対応する表示管理情報３８１を検索したり、検索した広告基礎情報３６１に対応する広告画像関連情報３９１を検索したり、検索した広告画像関連情報３９１に対応する画像ファイル４１０を検索したりする。検索方法の具体例は、後述する。
【００３４】
一覧情報生成部２０６は、広告情報検索部２０５が検索した広告基礎情報３６１における「施設名称３６３」、「住所３６５」等の広告の一覧情報を含むページ情報である広告一覧ページを生成する。
【００３５】
なお、一覧情報生成部２０６は、広告情報検索部２０５が検索した広告基礎情報３６１が複数存在する場合、一覧情報に含める広告基礎情報３６１を表示管理情報３８１のインプレッション回数３８３の値に基づいて表示順を決定する。これにより、広告情報提供ユニット２００は、良く参照される広告を優先して表示させることができる。
【００３６】
また、一覧情報生成部２０６は、地図情報ＤＢ３５０にアクセスし、広告情報提供要求受信部２０４が取得した情報（例えば、中心位置情報等）に対応する地図情報を取得し、取得した地図情報を上記広告一覧ページに含める。
【００３７】
詳細情報用ルート検索部２０７は、地図情報ＤＢ３５０にアクセスし、詳細情報表示対象の広告基礎情報３６１における最寄場所３７３内の情報や座標情報３６９を用いて、最寄場所に対応する位置から広告対象の位置までのルートの検索を行ったり、当該ルートを経由する所要時間等を含むアクセス情報を生成したりする。また、詳細情報用ルート検索部２０７は、地図情報ＤＢ３５０へアクセスして上記ルート周辺の地図情報も取得する。
【００３８】
詳細情報生成部２０８は、広告基礎情報３６１内の種々の情報や上記詳細情報用ルート検索部２０７がルート検索したルート等を含む詳細情報に関するページである詳細情報ページを生成する。詳細情報ページを生成する方法については、後述する。
【００３９】
広告情報提供部２０９は、一覧情報生成部２０６が生成した広告一覧ページや、詳細情報生成部２０８が生成した詳細情報ページを端末装置１に提供する。
【００４０】
データ記憶部１８が、地図情報記憶部２０１と広告情報記憶部２０２とを実現し、ＣＰＵ１１が、広告情報提供要求受信部２０４と、広告情報検索部２０５と、一覧情報生成部２０６と、詳細情報用ルート検索部２０７と、広告情報提供部２０９とを実現する。
【００４１】
［広告情報提供方法の概要］
次に、広告情報提供方法の概要について、説明する。本実施例における広告情報提供方法とは、端末装置１の各種要求（一覧情報提供要求や詳細情報提供要求）に応じて、広告情報提供ユニット２００が保持する広告基礎情報３６１や当該広告基礎情報３６１に対応する情報（画像ファイル４１０等）を含めたページを提供することをいう。
【００４２】
まず、端末装置１において、端末装置１の利用者の入力操作により、地点検索（所定の地点を中心とした地図検索）がなされると、端末装置１は、「媒体コード」、「中心位置」、「検索範囲」、「縮尺」、「取得件数」等を含む入力パラメタを広告情報提供ユニット２００へ送信すると共に広告一覧情報提供要求する。そして、広告情報提供ユニット２００の広告情報提供要求受信部２０４は、上記入力パラメタを取得すると共に、広告一覧ページ取得要求を受信する。
【００４３】
そして、広告情報検索部２０５は、広告基礎情報ＤＢ３６０へアクセスし、座標情報３６９が、上記入力パラメタにおける中心位置から検索範囲内に位置する広告基礎情報３６１を検索する。
【００４４】
そして、広告情報検索部２０５は、表示管理情報ＤＢ３８０へアクセスし、広告ＩＤ３８２が、検索した広告基礎情報３６１の広告ＩＤ３６２と合致する表示管理情報３８１を検索する。これにより、広告情報提供ユニット２００は、広告基礎情報３６１に対応する表示管理情報３８１を取得することができる。
【００４５】
そして、一覧情報生成部２０６は、広告情報検索部２０５が検索した広告基礎情報３６１が複数ある場合、各広告基礎情報３６１の一部の情報（例えば、施設名称３６３及び住所３６５）を、各広告基礎情報３６１に対応する表示管理情報３８１のインプレッション回数３８３の値が多い順に配置し、地図情報ＤＢ３５０から取得した上記中心位置の地図背景画像を含めた広告一覧ページ２５０を生成する。図５に広告一覧ページ２５０の例を示す。
【００４６】
広告一覧ページ２５０は、広告一覧表示領域２５１、地図情報表示領域２５２を有する。広告一覧表示領域２５１には、広告情報検索部２０５が検索した広告基礎情報３６１の一部の情報を一覧にした一覧情報を含める。また、地図情報表示領域２５２には、地点検索に対応する地図情報を含める。そして、上記地図情報には、広告に対応する広告アイコン２５３を含める。
【００４７】
そして、広告情報提供部２０９は、データ通信ユニット１９を介して上記広告一覧ページ２５０を端末装置１へ送信する。
【００４８】
端末装置１は、広告情報提供ユニット２００から取得した広告一覧ページ２５０を取得すると、当該広告一覧ページ２５０をディスプレイ等に表示する。そして、端末装置１は、利用者の入力操作を介して広告一覧ページ２５０から、広告一覧表示領域２５１の広告が選択されると、当該広告の広告ＩＤ又は広告を識別し得る情報を送信すると共に、詳細情報ページの提供要求を行う。
【００４９】
広告情報提供ユニット２００は、端末装置１から詳細ページ情報提供要求を受信すると共に、上記広告ＩＤ等を取得すると、広告情報検索部２０５は、広告基礎情報ＤＢ３６０へアクセスし、端末装置１から取得した広告ＩＤに合致する広告ＩＤ３６２を有する広告基礎情報３６１を検索する。
【００５０】
そして、広告情報検索部２０５は、広告画像関連情報ＤＢ３９０へアクセスし、広告ＩＤ３９２が、検索した広告基礎情報３６１の広告ＩＤ３６２に合致する広告画像関連情報３９１を検索し、当該広告画像関連情報３９１の画像ファイル保存先３９３に対応する画像ファイル４１０を取得する。
【００５１】
そして、詳細情報用ルート検索部２０７は、詳細情報用の広告基礎情報３６１の、最寄場所に対応する位置から広告対象の位置までのルートの検索を行ったり、アクセス情報を生成したりする。
【００５２】
そして、詳細情報生成部２０８は、広告情報検索部２０５が検索した広告基礎情報３６１の内容と、広告情報検索部２０５が取得した画像ファイル４１０内の画像データと、詳細情報用ルート検索部２０７が検索したルートを含む詳細情報を生成し、当該詳細情報を含む詳細情報ページ２６０を生成する。
【００５３】
ここで、詳細情報ページ２６０は、広告一覧ページ２５０の内容にさらに詳細情報を付加したページである。詳細情報ページ２６０の例を図６（ａ）及び図６（ｂ）に示す。
【００５４】
図６（ａ）及び図６（ｂ）に示すように、詳細情報ページ２６０は、広告一覧表示領域２５１及び地図情報表示領域２５２以外に、詳細情報を含める詳細情報表示領域２６１を有する。
【００５５】
詳細情報表示領域２６１の形状の例として、図６（ａ）に示すように矩形とする例や、図６（ｂ）に示すように吹き出し形状とし、当該吹き出し形状の先を詳細情報に対応する広告の広告アイコン２５３の位置とする例などがある。
【００５６】
詳細情報生成部２０８は、詳細情報表示領域２６１に、広告基礎情報３６１内の情報等を含める。図７に詳細情報表示領域２６１内の情報の例を示す。
【００５７】
詳細情報生成部２０８は、詳細情報表示領域２６１に、広告基礎情報３６１の施設名称３６３と、広告基礎情報３６１の住所情報３６５と、広告基礎情報３６１のＰＣ用ＵＲＬ３７１と、広告基礎情報３６１のコメント３７０と、詳細情報用ルート検索部２０７が検索したルート２７７及び当該ルート周辺地図２７６と、アクセス情報２７８と、広告情報検索部２０５が取得した画像ファイル４１０内の画像データ２７９とを含める。なお、詳細情報生成部２０８は、広告基礎情報３６１の最寄場所３７３に、複数の最寄場所がある場合、複数の最寄場所に関するアクセス情報を上記アクセス情報２７８として詳細情報表示領域２６１に含める。
【００５８】
そして、広告情報提供部２０９は、詳細情報ページ２６０を端末装置１へ提供する。そして、端末装置１は、広告情報提供ユニット２００から取得した詳細情報ページ２６０を表示する。このように、詳細情報生成部２０８が、広告対象の施設の最寄場所から当該施設までのルートを詳細情報として含めているので、広告情報提供ユニット２００は、利用者に対して、単にコメントのみを広告情報として提供する場合に比して有用な情報を提供することができる。
【００５９】
また、詳細情報生成部２０８は、アクセス情報２７８に最寄場所が複数ある場合、当該最寄場所を、利用者の入力操作に応じて選択可能としている。そして、端末装置１において、利用者の入力操作により、当該複数の最寄場所のいずれかが選択されると、端末装置１は、利用者によって選択された最寄場所を含む情報を広告情報提供ユニット２００へ送信すると共に、選択された最寄場所から施設へのルートを含む詳細情報を有する詳細情報ページ２６０の提供要求を行う。
【００６０】
この場合、広告情報提供要求受信部２０４は、選択された最寄場所に関する情報を取得すると共に、詳細情報ページ２６０の提供要求を受け付ける。
【００６１】
詳細情報用ルート検索部２０７は、広告対象の施設から広告情報提供要求受信部２０４が取得した最寄場所までのルート及び当該ルート周辺の地図を検索し、詳細情報生成部２０８が、上記ルート及びルート周辺の地図を含む詳細情報ページ２６０を生成する。そして、広告情報提供部２０９が、上記詳細情報ページ２６０を端末装置１へ提供する。
【００６２】
この場合、１つの広告対象の施設に複数の最寄場所が存在する場合に、利用者にとって、所望なルート情報を含む詳細情報ページ２６０を端末装置１へ提供することができる。
【００６３】
［広告情報提供処理］
以下に、広告情報提供処理の手順について図８に示すフローチャートを用いて説明する。この処理は、広告情報提供ユニット２００のＣＰＵ１２が、予め用意されたプログラムを実行することにより実現される。
【００６４】
まず、端末装置１において、所定の地図検索（例えば、地点検索等）がなされると、端末装置１は、所定のパラメタを送信すると共に、広告一覧ページ２５０の提供要求を行う（ステップＳ１）。
【００６５】
そして、広告情報提供ユニット２００において、広告情報提供要求受信部２０４は、端末装置１からのパラメタを取得すると共に、広告一覧ページ２５０の提供要求を受け付ける（ステップＳ１１）。
【００６６】
そして、広告情報検索部２０５は、広告基礎情報ＤＢ３６０へアクセスし、入力パラメタ内の情報（表示中心位置等）に基づいた条件に該当する広告基礎情報３６１を検索する（ステップＳ１２）。
【００６７】
そして、広告情報検索部２０５は、表示管理情報ＤＢ３８０へアクセスし、広告ＩＤ３８２が、検索した広告基礎情報３６１の広告ＩＤ３６２と合致する表示管理情報３８１を検索する（ステップＳ１３）。
【００６８】
そして、一覧情報生成部２０６は、広告情報検索部２０５が検索した広告基礎情報３６１を用いて、広告一覧ページ２５０を生成する（ステップＳ１４）。そして、広告情報提供部２０９は、上記広告一覧ページ２５０を端末装置１へ送信する（ステップＳ１５）。
【００６９】
端末装置１は、広告情報提供ユニット２００から広告一覧ページ２５０を取得すると（ステップＳ２）、ディスプレイ等に当該広告一覧ページ２５０を表示する（ステップＳ３）。
【００７０】
そして、端末装置１の利用者による所定の操作により、一覧されている広告が選択されると、端末装置１は、選択された広告に関する詳細情報を含む詳細情報ページ２６０の提供要求を行う（ステップＳ４）。
【００７１】
広告情報提供ユニット２００において、広告情報提供要求受信部２０４は、端末装置１から、詳細情報ページ提供対象の広告の識別情報（例えば、広告ＩＤ等）を取得すると共に、詳細情報ページ２６０の提供要求を受信すると（ステップＳ１６）、広告情報検索部２０５は、取得した広告の識別情報に対応する広告基礎情報３６１を取得する（ステップＳ１７）。
【００７２】
そして、広告情報検索部２０５は、検索した広告基礎情報３６１の広告ＩＤ３６２に合致する広告ＩＤ３９２を有する広告画像関連情報３９１を検索し、当該広告画像関連情報３９１の画像ファイル保存先３９３に対応する画像ファイル４１０を取得する（ステップＳ１８）。
【００７３】
そして、詳細情報用ルート検索部２０７は、広告基礎情報３６１内の情報を用いて、最寄場所から広告対象の施設までのルートを検索する（ステップＳ１９）。
【００７４】
そして、詳細情報生成部２０８は、上記詳細情報用ルート検索部２０７が検索したルートや、広告情報検索部２０５が取得した画像ファイル４１０内の画像データを含む詳細情報の詳細情報ページ２６０を生成し（ステップＳ２０）、広告情報提供部２０９は、上記詳細情報ページ２６０を端末装置１へ送信する（ステップＳ２１）。
【００７５】
端末装置１において、詳細情報ページ２６０を受信すると（ステップＳ５）、当該詳細情報ページ２６０を表示し（ステップＳ６）、広告情報提供処理を終了する。
【００７６】
以上、述べたように、広告情報提供ユニット２００は、ネットワークを介して端末装置と通信可能に接続されている広告情報提供装置であって、地図情報を保持する地図情報保持手段と、広告対象の施設の位置情報及び広告対象の最寄場所の位置情報を含む施設の広告に関する情報である広告情報を保持する広告情報保持手段と、端末装置から所定の情報を受信すると共に、広告情報の検索結果に基づく情報の提供要求を受け付ける広告情報提供要求受付手段と、広告情報提供要求受付手段が受信した情報に基づく検索条件に合致する広告情報を検索する広告情報検索手段と、広告情報検索手段が検索した広告情報の一覧情報を含む広告一覧情報を生成する広告一覧情報生成手段と、広告一覧情報から選択された施設の最寄場所から施設までのルートを検索するルート検索手段と、ルートを含む広告の詳細情報を広告一覧情報に付した広告詳細情報を生成する広告詳細情報生成手段と、広告情報一覧情報又は広告情報詳細情報を提供する広告情報提供手段と、を備える。
【００７７】
このように、広告情報提供装置は、所定の検索条件に合致する広告の情報に関する一覧情報を提供した後に、端末装置から選択された広告に関する詳細情報である広告詳細情報を提供している。そして、上記広告詳細情報には、広告対象の施設の位置情報（緯度経度情報等）及び当該施設の最寄場所の位置情報に基づいたルート情報を含んでいる。
【００７８】
従って、広告情報提供装置は、単に広告のコメントのみを提供する場合に比して有用な情報を提供することができる。
【００７９】
[他の実施例]
上述の実施例では、特に述べていなかったが、図９に示すように、端末装置１の利用者の入力操作により、詳細情報内の文字列が選択され、さらに端末装置１の利用者の入力操作（例えば、マウスの右クリック操作等）に応じて端末装置１が表示したメニュー領域Ｍ１上の「選択文字列に基づいてソート」メニューが選択された場合に、端末装置１が入力パラメタとして、一覧情報表示要求時のパラメタに選択文字列を追加して、一覧情報の提供要求を行い、広告情報提供ユニット２００における一覧情報生成部２０６が、広告情報検索部２０５が検索する広告基礎情報３６１について、入力パラメタとして受信した選択文字列の内容に応じてソートして一覧情報内の広告の順序を決定するようにしても良い。
【００８０】
例えば、選択文字列２９０が「格安」であるならば、広告情報提供ユニット２００は、料金が安い順に、一覧情報内の広告を並び替える。また、選択された文字列のジャンルに基づいて並び替えたりしても良い。
【００８１】
この場合、広告情報提供ユニット２００の端末装置１の利用者が注目する文字列の内容に基づいて一覧情報内の広告を並び替えて一覧ページを生成することになるので、広告情報提供ユニット２００は、端末装置１の利用者にとって所望の順に広告の一覧を表示した広告一覧ページ２５０を提供することができる。
【００８２】
上述の実施例では、広告情報提供ユニット２００が、一覧情報に含める内容を各広告基礎情報３６１の一部の情報とする場合について述べたが、本発明は、これに限られず、広告基礎情報３６１に対応する画像ファイル４１０の画像データを含める等、より詳細な情報を含めるようにしても良い。
【００８３】
上述の実施例では、特に述べていなかったが、広告基礎情報３６１に、クーポン情報を予め保持しておき、詳細情報生成部２０８が詳細情報ページ２６０内に上記クーポン情報を含めるようにしても良い。
【００８４】
この場合、広告情報提供ユニット２００は、詳細情報ページ２６０を提供する際に、利用者にとって有用なクーポン情報を提供することができるので、顧客吸引力を有する広告情報を提供することができる。
【００８５】
上述の実施例では、地点検索時に、広告情報提供ユニット２００が広告一覧ページ２５０を提供する場合について述べたが、本発明は、これに限られず、キーワードに基づく地図検索等、種々の地図検索時に検索対象の地図に関する広告一覧ページ２５０を提供するようにしても良い。
【００８６】
上述の実施例では、広告情報提供ユニット２００が、広告基礎情報３６１に最寄場所３７３を予め保持し、当該最寄場所３７３に基づいてアクセス情報２７８を生成する場合について述べたが、本発明は、これに限られず、広告対象の施設の周辺の施設（例えば、駅やインターチェンジ等）を検索し、検索した周辺施設から広告対象の施設へのアクセス情報２７８を生成するようにしても良い。
【００８７】
この場合、広告情報提供ユニット２００は、広告基礎情報３６１に最寄場所３７３を保持することなく、アクセス情報３７８を生成することができる。
【００８８】
上述の実施例では、端末装置１を、パーソナルコンピュータに適用する場合について述べたが、本発明はこれに限られず、ＰＤＡ（Ｐｅｒｓｏｎａｌ  Ｄｉｇｉｔａｌ  Ａｓｓｉｓｔａｎｔ）、携帯電話、キオスク端末等、種々の装置に適用しても良い。なお、携帯電話やＰＤＡに詳細情報ページ２６０を送信する場合、広告情報提供ユニット２００は、詳細情報ページ２６０のＰＣ用ＵＲＬ３７１を含める代わりに携帯用ＵＲＬ３７２を含めることになる。
【００８９】
上述の実施例では、一覧情報生成部２０６が、広告基礎情報３６１の一部の情報を、インプレッション回数３８３の値が多い順（即ち、表示回数が多い順）に配置する場合について述べたが、本発明は、これに限られず、一覧情報生成部２０６が、広告基礎情報３６１の一部の情報を、インプレッション回数３８３の値が少ない順（即ち、表示回数が少ない順）に配置するようにしても良い。この場合、広告情報提供ユニット２００は、表示回数の少ない広告情報を優先して表示することになるため、広告情報の表示回数の平等化を図ることができる。
【００９０】
上述の実施例における詳細情報ページ２６０に、印刷用ページのリンク情報や、ＱＲ（Ｑｕｉｃｋ  Ｒｅｓｐｏｎｓｅ）コード（登録商標）を含めるようにしても良い。
【図面の簡単な説明】
【００９１】
【図１】広告情報提供システムの概略構成を示す図である。
【図２】広告情報提供サーバの構成図である。
【図３】各種データベースのデータ構成を示す図である。
【図４】広告情報提供ユニットの機能構成を示すブロック図である。
【図５】一覧ページ情報の例を示す図である。
【図６】詳細ページ情報の例を示す図である。
【図７】詳細情報表示領域内の情報を示す図である。
【図８】広告情報提供処理のフローチャートである。
【図９】広告一覧ソート指定時の詳細ページ情報の例を示す図である。
【符号の説明】
【００９２】
１１  システムバス
１２  ＣＰＵ
１３  メモリ
１４  キーボード
１５  座標指示デバイス
１６  ディスプレイ
１７  プリンタ
１８  データ記憶装置
２００  広告情報提供ユニット
【図１】
2009145375.tif 000003
【図２】
2009145375.tif 000004
【図３】
2009145375.tif 000005
【図４】
2009145375.tif 000006
【図５】
2009145375.tif 000007
【図６】
2009145375.tif 000008
【図７】
2009145375.tif 000009
【図８】
2009145375.tif 000010
【図９】
2009145375.tif 000011